(57)【要約】【課題】宅内通信装置のアップグレード方法及び局側通信装置に関し、人の手を介さずに簡単な操作で宅内通信装置のファームウェアのアップグレードを自動的に行う。【解決手段】宅内通信装置と局側通信装置とが加入者線を介して接続された通信システムにおいて、宅内通信装置と局側通信装置との接続状態を監視し（１−１）、宅内通信装置が接続状態に移行したとき、局側通信装置のファイル保存エリアに格納されているダウンロード対象ファームウェアのファイルと、宅内通信装置から読み出したファームウェアの版数を比較し（１−３）、ダウンロード対象ファームウェアのファイルの方が、宅内通信装置から読み出した版数より大きいと判定されたときに、ファイル保存エリアに格納されているダウンロード対象ファームウェアのファイルを前記宅内通信装置へダウンロードし（１−４〜１−７）、宅内通信装置のファームウェアを書き換える。【選択図】      図１
2007241780.tif 000002
【特許請求の範囲】
【請求項１】
宅内通信装置と局側通信装置とが加入者線を介して接続された通信システムにおける宅内通信装置のファームウェアのアップグレード方法において、
宅内通信装置と局側通信装置との接続状態を監視するステップと、
前記監視により、宅内通信装置が接続状態に移行したことを検知したとき、局側通信装置のファイル保存エリアに格納されているダウンロード対象ファームウェアのファイルと、宅内通信装置から読み出したファームウェアの版数を比較するステップと、
前記比較により、前記ダウンロード対象ファームウェアのファイルの方が、宅内通信装置から読み出した版数より大きいと判定されたときに、前記ファイル保存エリアに格納されているダウンロード対象ファームウェアのファイルを前記宅内通信装置へダウンロードして前記宅内通信装置のファームウェアを書き換えるステップと、
を含むことを特徴とする宅内通信装置のアップグレード方法。
【請求項２】
前記ファイル保存エリアにダウンロード対象ファームウェアのファイルが格納されているか否かを確認するステップを含み、該ダウンロード対象ファームウェアのファイルがファイル保存エリアに格納されているときにのみ、前記ダウンロード対象ファームウェアのファイルのダウンロードの実行を開始することを特徴とする請求項１に記載の宅内通信装置のアップグレード方法。
【請求項３】
前記ダウンロードの実行の際に、該ダウンロードが実行可能か否かを判定するステップと、該ダウンロードの実行を直ちに行うことができない場合に、ダウンロード待ちキューにダウンロード処理対象の宅内通信装置を登録設定し、該ダウンロード処理を待ち合わせるステップと、を含むことを特徴とする請求項１に記載の宅内通信装置のアップグレード方法。
【請求項４】
前記ダウンロード待ちキューに宅内通信装置の登録が存在するとき、該宅内通信装置へのダウンロードが実施可能であるか否かを調べ、ダウンロードが実施可能状態であれば、該宅内通信装置に対するダウンロードを実行するとともに、当該ダウンロードの登録設定をダウンロード待ちキューから削除するステップを含むことを特徴とする請求項３に記載の宅内通信装置のアップグレード方法。
【請求項５】
前記ダウンロードの実行が失敗したときは、前記宅内通信装置へのダウンロード処理を終了し、かつ、該宅内通信装置を主信号疎通状態にするステップと、次のダウンロード待ちキューに登録されている宅内通信装置へのダウンロードを実施するステップとを含むことを特徴とする請求項３に記載の宅内通信装置のアップグレード方法。
【請求項６】
宅内通信装置と加入者線を介して接続された局側通信装置において、
前記宅内通信装置との接続状態を監視する監視手段と、
前記監視手段により、宅内通信装置が接続状態に移行したことを検知したとき、自装置のファイル保存エリアに格納されているダウンロード対象ファームウェアのファイルと、宅内通信装置から読み出したファームウェアの版数を比較する比較手段と、
前記比較手段により、前記ダウンロード対象ファームウェアのファイルの方が、宅内通信装置から読み出した版数より大きいと判定されたときに、前記ダウンロード対象ファームウェアのファイルの前記宅内通信装置へのダウンロードを実行して宅内通信装置のファームウェアを書き換える書き換え手段と、
を備えたことを特徴とする局側通信装置。
【請求項７】
前記ファイル保存エリアにダウンロード対象ファームウェアのファイルが格納されているか否かを確認する格納確認手段を有し、該ダウンロード対象ファームウェアのファイルがファイル保存エリアに格納されているときにのみ、前記ダウンロード対象ファームウェアのファイルのダウンロードの実行を開始することを特徴とする請求項６に記載の局側通信装置。
【請求項８】
前記ダウンロードの実行の際に、該ダウンロードが実行可能か否かを判定する実行可能判定手段と、該ダウンロードの実行を直ちに行うことができない場合に、ダウンロード待ちキューにダウンロード処理対象の宅内通信装置を登録設定し、該ダウンロード処理を待ち合わせる待ち合わせ処理手段と、を備えたことを特徴とする請求項６に記載の局側通信装置。
【請求項９】
前記ダウンロード待ちキューに宅内通信装置の登録が存在するとき、該宅内通信装置へのダウンロードが実施可能であるか否かを調べ、ダウンロードが実施可能状態であれば、該宅内通信装置に対するダウンロードを実行するとともに、当該ダウンロードの登録設定をダウンロード待ちキューから削除する手段を備えたたことを特徴とする請求項８に記載の局側通信装置。
【請求項１０】
前記ダウンロードの実行が失敗したときは、前記宅内通信装置へのダウンロード処理を終了し、かつ、該宅内通信装置を主信号疎通状態にする手段と、次のダウンロード待ちキューに登録されている宅内通信装置へのダウンロードを実施する手段とを備えたことを特徴とする請求項８に記載の局側通信装置。
【発明の詳細な説明】
【技術分野】
【０００１】
本発明は、宅内通信装置のアップグレード方法及び局側通信装置に関し、局舎などに設置される局側通信装置と加入者宅に設置される宅内通信装置とが加入者線を介して接続された通信システムにおいて、宅内通信装置のファームウェアを人の手を介さずに自動的にアップグレードするための方法及び該アップグレードを実行する局側通信装置に関する。
【背景技術】
【０００２】
図３に本発明が適用される通信システムのネットワーク構成を示す。同図において、３−１はユーザが利用するパーソナルコンピュータや電話端末等のユーザ通信機器である。また、３−２はユーザ宅内に設置されるｘＤＳＬ（x Digital Subscriber Line）モデムやＯＮＵ（Optical Network Unit）等、宅内のユーザ通信機器３−１を加入者線に接続するための宅内通信装置である。
【０００３】
３−３は局側に設置され、加入者線を介して宅内通信装置３−２と接続される局側通信装置で、各加入者線対応のインタフェース部と各加入者線に共通の共通部とを備え、加入者線で送受される主信号を、インターネット等の上位ネットワーク３−４との間で中継する局側通信装置である。
【０００４】
局側通信装置３−３は、監視ネットワーク３−５を介して監視制御装置３−６及び監視装置３−７に接続され、監視制御装置３−６及び監視装置３−７は、監視ネットワーク３−５及び局側通信装置３−３を通して、宅内通信装置３−２や加入者線等の監視、制御、管理、保守等を行う。
【０００５】
図４に宅内通信装置３−２と局側通信装置３−３との接続構成例を示す。同図に示すように、局側通信装置３−３は複数の加入者線インタフェース部及び一つの共通部を備え、各加入者線インタフェース部はそれぞれ１本の加入者線を収容し、各加入者線には分岐装置４−１を介して複数の宅内通信装置３−２が接続される。局側通信装置３−３の加入者線インタフェース部の上位側はインターネット等の上位ネットワークに接続され、また、局側通信装置３−３の共通部には監視ネットワークに接続される。
【０００６】
図５に宅内通信装置３−２及び局側通信装置３−３のファームウェアの構成例を示す。同図に示すように、局側通信装置３−３内の共通部３−３１には、加入者線インタフェース部の監視制御及び宅内通信装置の監視制御を行う共通部用ファームウェアとファイル保存エリアとを備え、局側通信装置３−３内の加入者線インタフェース部３−３２には、共通部とのデータ送受信、宅内通信装置とのデータの送受信を行う加入者線インタフェース部用ファームウェアを備え、宅内通信装置３−２には、加入者線インタフェース部とのデータ送受信を行う宅内装置用ファームウェアを備えている。
【０００７】
宅内通信装置３−２と局側通信装置３−３とが加入者線を介して接続された通信システムにおいて、宅内通信装置３−２のファームウェアをアップグレードのために入れ換える場合、宅内通信装置３−２にメンテナンス処理機能を付加し、ユーザ通信機器３−１から直接、宅内通信装置３−２にアクセスし、局側通信装置３−３からファームウェアファイルのダウンロードを行う第１の手法と、監視ネットワーク３−５側から局側通信装置３−３の共通部又は加入者線インタフェース部にアクセスし、宅内通信装置３−２へのファームウェアファイルのダウンロードを局側通信装置３−３に命令し、局側通信装置３−３が該命令に従って宅内通信装置３−２へファームウェアファイルをダウンロードする第２の手法の二種類が存在する。
【０００８】
本発明に関連する先行技術文献として、ファームウェア配信装置の記憶手段に記憶された各ファームウェアのバージョンの少なくとも一部を電子機器に対して通信ネットワークを介して通知し、そして電子機器は、通知されたバージョンのうちに自己が有しているファームウェアのバージョンよりも新しいものがある場合に、そのファームウェアのダウンロードをファームウェア配信装置に対して要求し、これに応じてファームウェア配信装置から電子機器へとファームウェアをダウンロードするファームウェアアップデートシステムについて下記の特許文献１に記載されている。
【特許文献１】特開２００３−５９９１号公報
【発明の開示】
【発明が解決しようとする課題】
【０００９】
前述の宅内通信装置３−２にユーザ通信機器３−１から直接アクセスし、宅内通信装置３−２へファームウェアをダウンロードする第１の手法、又は監視ネットワーク３−５側から局側通信装置３−３の共通部或いは加入者線インタフェース部にアクセスし、ファームウェアのダウンロードを指令する第２の手法の何れにおいても、宅内通信装置３−２と局側通信装置３−３の加入者線インタフェース部とが接続された状態でない場合は実行不可能であり、また、宅内通信装置３−２及び局側通信装置３−３の両者がダウンロード実行可能な状態でなければならず、また、ダウンロードを人手を介して行わなければならなかった。
【００１０】
特に第２の手法の場合、宅内通信装置３−２の電源スイッチがオフ状態になっている場合や、宅内通信装置３−２から加入者線の接続端子が取り外されている場合などは、宅内通信装置３−２と局側通信装置３−３の加入者線インタフェース部とがいつ接続状態となるのかは予測不能であり、宅内通信装置３−２が接続状態となるのを常時監視して待機しなければならず、アップグレードのために２４時間監視機能が必要となってしまう。
【００１１】
本発明は、人の手を介さずに宅内通信装置３−２のファームウェアのアップグレードを行うことができ、かつ、宅内通信装置３−２と局側通信装置３−３とが接続状態となるのを常時監視して待機する等、アップグレードのための特別な命令を与えたりすることなく、簡単な操作で自動的にアップグレードを行うことができる宅内通信装置のアップグレード方法及び局側通信装置を提供することを目的とする。
【課題を解決するための手段】
【００１２】
本発明の宅内通信装置のアップグレード方法は、（１）宅内通信装置と局側通信装置とが加入者線を介して接続された通信システムにおける宅内通信装置のファームウェアのアップグレード方法において、宅内通信装置と局側通信装置との接続状態を監視するステップと、前記監視により、宅内通信装置が接続状態に移行したことを検知したとき、局側通信装置のファイル保存エリアに格納されているダウンロード対象ファームウェアのファイルと、宅内通信装置から読み出したファームウェアの版数を比較するステップと、前記比較により、前記ダウンロード対象ファームウェアのファイルの方が、宅内通信装置から読み出した版数より大きいと判定されたときに、前記ファイル保存エリアに格納されているダウンロード対象ファームウェアのファイルを前記宅内通信装置へダウンロードして前記宅内通信装置のファームウェアを書き換えるステップと、を含むことを特徴とする。
【００１３】
また、（２）前記ファイル保存エリアにダウンロード対象ファームウェアのファイルが格納されているか否かを確認するステップを含み、該ダウンロード対象ファームウェアのファイルがファイル保存エリアに格納されているときにのみ、前記ダウンロード対象ファームウェアのファイルのダウンロードの実行を開始することを特徴とする。
【００１４】
また、（３）前記ダウンロードの実行の際に、該ダウンロードが実行可能か否かを判定するステップと、該ダウンロードの実行を直ちに行うことができない場合に、ダウンロード待ちキューにダウンロード処理対象の宅内通信装置を登録設定し、該ダウンロード処理を待ち合わせるステップと、を含むことを特徴とする。
【００１５】
また、（４）前記ダウンロード待ちキューに宅内通信装置の登録が存在するとき、該宅内通信装置へのダウンロードが実施可能であるか否かを調べ、ダウンロードが実施可能状態であれば、該宅内通信装置に対するダウンロードを実行するとともに、当該ダウンロードの登録設定をダウンロード待ちキューから削除するステップを含むことを特徴とする。
【００１６】
また、（５）前記ダウンロードの実行が失敗したときは、前記宅内通信装置へのダウンロード処理を終了し、かつ、該宅内通信装置を主信号疎通状態にするステップと、次のダウンロード待ちキューに登録されている宅内通信装置へのダウンロードを実施するステップとを含むことを特徴とする。
【００１７】
また、本発明の局側通信装置は、（６）宅内通信装置と加入者線を介して接続された局側通信装置において、前記宅内通信装置との接続状態を監視する監視手段と、前記監視手段により、宅内通信装置が接続状態に移行したことを検知したとき、自装置のファイル保存エリアに格納されているダウンロード対象ファームウェアのファイルと、宅内通信装置から読み出したファームウェアの版数を比較する比較手段と、前記比較手段により、前記ダウンロード対象ファームウェアのファイルの方が、宅内通信装置から読み出した版数より大きいと判定されたときに、前記ダウンロード対象ファームウェアのファイルの前記宅内通信装置へのダウンロードを実行して宅内通信装置のファームウェアを書き換える書き換え手段と、を備えたことを特徴とする。
【００１８】
また、（７）前記ファイル保存エリアにダウンロード対象ファームウェアのファイルが格納されているか否かを確認する格納確認手段を有し、該ダウンロード対象ファームウェアのファイルがファイル保存エリアに格納されているときにのみ、前記ダウンロード対象ファームウェアのファイルのダウンロードの実行を開始することを特徴とする。
【００１９】
また、（８）前記ダウンロードの実行の際に、該ダウンロードが実行可能か否かを判定する実行可能判定手段と、該ダウンロードの実行を直ちに行うことができない場合に、ダウンロード待ちキューにダウンロード処理対象の宅内通信装置を登録設定し、該ダウンロード処理を待ち合わせる待ち合わせ処理手段と、を備えたことを特徴とする。
【００２０】
また、（９）前記ダウンロード待ちキューに宅内通信装置の登録が存在するとき、該宅内通信装置へのダウンロードが実施可能であるか否かを調べ、ダウンロードが実施可能状態であれば、該宅内通信装置に対するダウンロードを実行するとともに、当該ダウンロードの登録設定をダウンロード待ちキューから削除する手段を備えたたことを特徴とする。
【００２１】
また、（１０）前記ダウンロードの実行が失敗したときは、前記宅内通信装置へのダウンロード処理を終了し、かつ、該宅内通信装置を主信号疎通状態にする手段と、次のダウンロード待ちキューに登録されている宅内通信装置へのダウンロードを実施する手段とを備えたことを特徴とする。
【発明の効果】
【００２２】
本発明によれば、宅内通信装置の電源スイッチの投入などにより、局側通信装置と宅内通信装置とが接続状態になると同時に、宅内通信装置のファームウェアのバージョンチェックを行い、古いバージョンであった場合に、自動的に局側通信装置から新しいバージョンの宅内通信装置用のファームウェアのファイルのダウンロードを実施することにより、従来のように人の手を介さずにファームウェアのアップグレードを行うことができる。
【００２３】
また、局側通信装置のファイル保存エリアにダウンロード対象ファームウェアのファイルが格納されているか否かを確認し、格納されているときにのみ、ダウンロードの実行を開始することにより、ダウンロードのための特別な命令や指示の送出を行わなくても、ファイル保存エリアに宅内通信装置用のファームウェアのファイルを転送しておくだけで自動的に宅内通信装置のアップグレードを行うことができる。
【発明を実施するための最良の形態】
【００２４】
図１は本発明によるファームウェアの自動ダウンロードの処理フローを示す。局側通信装置の加入者線インタフェース部は、宅内通信装置との接続状態を監視し、接続状態に移行したことを検知すると（１−１）、自動ダウンロードの処理を開始し、共通部又は加入者線インタフェース部のファイル保存エリア（ワークエリア）に自動ダウンロードの対象となる宅内通信装置用のファームウェアが存在するか否かを確認する（１−２）。なお、図中、「ダウンロード」を「ＤＬ」と記している。
【００２５】
上記ファームウェアが存在しない場合は何もせず、宅内通信装置をデータ疎通可能状態にする。上記ファームウェアが存在する場合は、ファイル保存エリアに存在する自動ダウンロード対象ファームウェアと、宅内通信装置から読み出したファームウェアの版数とを比較する（１−３）。
【００２６】
上記版数比較は、自動ダウンロード対象ファームウェアのファイル名と宅内通信装置から読み出したファームウェアの版数の値（Version）との比較により行う構成とすることができる。なお、この場合、自動ダウンロード対象のファームウェアのファイル名は、宅内通信装置から読み出される版数の値（Version）と同一フォームにしておく。例えば、読み出される版数（Version）の値が“０００１”等のような半角数字４文字であれば、ダウンロード対象のファームウェアのファイル名は、“半角英数字４文字＋拡張子”のフォームにしておく。
【００２７】
上記版数比較において、ファイル名が読み出した版数の値（Version）以下（≦）の場合は、何もせず宅内通信装置をデータ疎通可能状態にする。上記版数比較において、ファイル名が読み出した版数の値（Version）以上（＞）の場合は、自動ダウンロードの実行が可能か否か判定し（１−４)、実行可能であればその実行をチェックし（１−５）、ダウンロードを実行する（１−６）。ダウンロードの開始後、何らかの理由により自動ダウンロードが失敗又は実施できなかった場合は、自動ダウンロード処理を中止し、データ疎通状態に移行する（１−５，１−７,１−１０)。
【００２８】
ここで、自動ダウンロードが失敗又は実施できなかった場合に、再度、自動ダウンロードを行う処理を実施しないのは、何らかの原因で自動ダウンロードを行うことができない状態で宅内通信装置が起動していた場合、自動ダウンロードの再開処理の無限ループに陥る可能性があるためである。
【００２９】
ただし、上記の実行可能か否かの判定（１−４)において、自動ダウンロード実行不可の原因が、加入者線インタフェース部の故障や宅内通信装置の故障などによるものではなく、他の処理の実施中であるため、自動ダウンロードの命令実行を直ちに行うことができないなどの事由による場合は、ダウンロード待ちキュー（Queue）に処理対象の宅内通信装置を登録設定し、該処理の待ち合わせをする（１−８）。自動ダウンロードが成功したときは、自動ダウンロード後に宅内通信装置、加入者線インタフェース部又は共通部に対する事後処理が必要の場合はその処理を行った後、データ疎通状態へ移行する（１−９）。
【００３０】
その後、宅内通信装置の電源オフ／オン操作やリセット操作などにより、再度、局側通信装置と接続された場合は、同様のダウンロード処理が開始されるが、先の自動ダウンロードが正常に終了していれば、版数比較（１−３）の処理において、自動ダウンロード対象のファームウェアのファイル名と宅内通信装置から読み出したファームウェアの版数の値（Version）とが一致するため、自動ダウンロード対象から外れる。一方、自動ダウンロードが異常終了していた場合は、再度自動ダウンロード処理が実施される。
【００３１】
なお、宅内通信装置及び局側通信装置における自動ダウンロード実施に対する特別な設定や操作は一切必要なく、局側通信装置のファイル保存エリアに自動ダウンロード対象のファームウェアが格納されているか否かのみで、自動ダウンロードが実施されるか否かが決定される。
【００３２】
図２に、前述の処理フロー（１−８）でダウンロード待ちキューに登録設定したときの処理フローを示す。まず、ダウンロード待ちキューに登録設定されている宅内通信装置が存在するか否かを確認し（２−１）、該ダウンロード待ちキューに宅内通信装置が登録設定されていない、或いは登録されていた宅内通信装置へのダウンロードが全て完了した場合は処理終了となる。
【００３３】
ダウンロード待ちキューに宅内通信装置の登録が存在する場合は、該宅内通信装置にダウンロード実施可能であるか否かを調べ、実施不可である場合は、所定周期でダウンロード実施可能状態となったか否かを調べる（２−２）。ダウンロード実施可能状態であると判定されると、ダウンロード待ちキューに登録されているもののうち、最初に登録された宅内通信装置に対するダウンロードを実行する（２−３〜７）。
【００３４】
このとき、ダウンロードを実施する前に、ダウンロード待ちキューから当該ダウンロードの登録設定を削除しておく（２−４）。これにより、ダウンロード失敗時に再度ダウンロードを実施することがなくなり、無限ループ状態に陥ることを防ぐことができる。自動ダウンロードが失敗した場合は、ダウンロード後の各種処理を行わず、主信号疎通状態にして該宅内通信装置へのダウンロード処理を終了し（２−８）、次のダウンロード待ちキューに登録されている宅内通信装置へのダウンロードを実施するため、前述の２−１の処理フローから繰り返し同様の処理を実施する。
【００３５】
自動ダウンロードが正常に終了した場合（２−６,２−７）は、ダウンロード後の各種処理を行い、主信号疎通状態にして該宅内通信装置へのダウンロード処理を終了し（２−９）、次のダウンロード待ちキューに登録されている宅内通信装置へのダウンロードを実施するため、前述の２−１の処理フローから繰り返し同様の処理を実施する。なお、各種設定はダウンロード前、ダウンロード中に実施することも可能である。
【００３６】
前述したファームウェアの自動ダウンロードにおいて、版数比較の処理（１−３）の際に、自動ダウンロード対象のファームウェアのファイル名と、宅内通信装置から読み出した版数の値（Version）との比較により、版数の新旧の判定を行う構成としたが、自動ダウンロード対象のファームウェアのファイルのヘッダ情報に版数（Version）を書き込み、このファイルのヘッダ情報と宅内通信装置から読み出した版数（Version）とを比較して、版数の新旧比較を行う構成とすることも可能である。この構成の場合、自動ダウンロード対象のファームウェアのファイル名は任意に付けることが可能となる。
【００３７】
また、前述したファームウェアの自動ダウンロードにおいて、共通部又は加入者線インタフェース部のファイル保存エリアに格納した自動ダウンロード対象のファームウェアが一つの場合について説明をしたが、異なる版数のファームウェアのファイルが複数併存する場合は、以下の何れかの処理を選択して実施する。
（１）最初に格納された版数のファイルをダウンロード対象とする。
（２）ファイルの版数の比較を行い、最新の版数のファイルをダウンロード対象とする。
（３）複数の版数のファイルが存在する場合は自動ダウンロードを実施しない。
【００３８】
また、前述したファームウェアの自動ダウンロードにおいて、宅内通信装置の種別は一つの場合について説明したが、宅内通信装置の種別が複数存在する場合は、その種別数だけファームウェアのファイルの種別が存在し、そして、種別の異なるファイル同士で版数の値（Version）が同一になる場合があり得る。
【００３９】
そこで、ファームウェアのファイル名の拡張子を、宅内通信装置の種別毎に定義付けておき、そして、前述の版数比較の処理（１−３）の際に、宅内通信装置から版数の値（Version）だけでなく、宅内通信装置の種別情報も取得することにより、宅内通信装置の種別に合致したファームウェアを選別して自動ダウンロードするように構成することが可能となる。
【図面の簡単な説明】
【００４０】
【図１】本発明によるファームウェアの自動ダウンロードのフローを示す図である。
【図２】本発明におけるダウンロード待ちキューに登録設定されたときの動作フローを示す図である。
【図３】本発明が適用される通信システムのネットワーク構成例を示す図である。
【図４】宅内通信装置と局側通信装置との接続構成例を示す図である。
【図５】宅内通信装置及び局側通信装置のファームウェアの構成例を示す図である。
【符号の説明】
【００４１】
３−１  ユーザ通信機器
３−２  宅内通信装置
３−３  局側通信装置
３−３１  共通部
３−３２  加入者線インタフェース部
３−４  上位ネットワーク
３−５  監視ネットワーク
３−６  監視制御装置
３−７  監視装置
４−１  分岐装置
【図１】
2007241780.tif 000003
【図２】
2007241780.tif 000004
【図３】
2007241780.tif 000005
【図４】
2007241780.tif 000006
【図５】
2007241780.tif 000007